(57)【要約】      （修正有）【課題】伸縮性リング付きストラップを設けた携帯品が、胸ポケット等に入れた状態から落下状態となっても、地面への落下を防止する伸縮性リング付きストラップの取付け保持方法を提供する。【解決手段】伸縮性リング付きストラップ１にスマートホンなどの携帯品４を取り付けた状態で、伸縮性リング２の収縮状態であるリング体通常状態の内周の幅よりも幅広である幅広部位を有する掛け部材本体６を着類に取付け状態としている取付け手段７とを有してなるとともに、前記取付け手段７が前記掛け部材本体６の前記幅広部位の幅よりも狭い形態であるリング掛け部材８に、前記伸縮性リング２を指で伸ばして前記着類に取り付けられた前記掛け部材本体６に掛け、その縮動作によって前記リング掛け部材８に前記伸縮性リング２を掛け保持状態にする伸縮性リング付きストラップ１の取付け保持方法。【選択図】図１
2020110672.tif 000002
【特許請求の範囲】
【請求項１】
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で着類側に保持可能とする伸縮性リング付きストラップの取付け保持方法であって、
前記伸縮性リングの収縮状態であるリング体通常状態の内周の幅よりも幅広である幅広部位を有する掛け部材本体、この掛け部材本体を前記着類に取付け可能としている又は取付け状態としている取付け手段とを有してなるとともに、前記取付け手段が前記掛け部材本体の前記幅広部位の幅よりも狭い形態であり、前記着類に設けられた該着類の合わせ目を留めるボタンを除くリング掛け部材、
前記伸縮性リングを指で伸ばして前記着類に取り付けられた前記掛け部材本体に掛け、その縮動作によって前記リング掛け部材に前記伸縮性リングを掛け保持状態にする伸縮性リング付きストラップの取付け保持方法。
【請求項２】
前記着衣にはポケットが設けられ、前記リング掛け部材は前記ポケットの上方に設けるないし設けられたものであり、前記携帯品を前記ポケットに収納した状態で、前記伸縮性リングを前記リング掛け部材に掛け保持状態にできるものであることを特徴とする請求項１記載の伸縮性リング付きストラップの取付け保持方法。
【請求項３】
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で着類側に保持可能とした掛け部材付き着類であって、
着類本体と、
この着類本体に設けられた、前記伸縮性リングの収縮状態であるリング体通常状態の内周の幅よりも幅広である幅広部位を有する掛け部材本体、この掛け部材本体を前記着類に取付け状態としている取付け手段とを有し、前記取付け手段が前記掛け部材本体の前記幅広部位の幅よりも狭い形態である、前記着類に設けられた該着類の合わせ目を留めるボタンを除くリング掛け部材と、を備え、
前記伸縮性リングを指で伸ばして前記掛け部材本体に掛け、その縮動作によって前記リング掛け部材に前記伸縮性リングを掛け保持状態にする掛け部材付き着類。
【請求項４】
前記着衣にはポケットが設けられ、前記リング掛け部材は前記ポケットの上方に設けられたものであり、前記携帯品を前記ポケットに収納した状態で、前記伸縮性リングを前記リング掛け部材に掛け保持状態にできるものであることを特徴とする請求項３記載の掛け部材付き着類。
【請求項５】
伸縮性リング、この伸縮性リング側に一方側を取り付けられた又は取り付けられず添付されたコードとを有し、前記コードの他方側にスマートホン、財布、鍵などの携帯品を取り付けた状態として使用可能な伸縮性リング付きストラップと、
前記伸縮性リングの収縮状態であるリング体通常状態の内周の幅よりも幅広である幅広部位を有する掛け部材本体、前記掛け部材本体に設けられれた該掛け部材本体の前記幅広部位よりも狭い安全ピン、ホック、ボタン、面ファスナ、タイピンなどの取付け手段とを有し、前記取付け手段によって着衣又はバック、手提げ袋、肩掛け収納体、背負い収納体などの携行収納体に着脱時自在形態で取り付けることができ、かつ、前記着衣又は前記携行収納体に取り付けた状態で前記伸縮性リングを掛け保持することが可能なリング掛け部材と、を備えてなることを特徴とする伸縮性リング付きストラップとリング掛け部材との組合せ品。
【請求項６】
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で保持可能としたリング掛け部材を設けてなる、バック、手提げ袋、肩掛け収納体、背負い収納体などの掛け部材付き携行収納体であって、
前記リング掛け部材が、前記伸縮性リングの収縮状態であるリング体通常状態の内周の幅よりも幅広である幅広部位を有する掛け部材本体、この掛け部材本体を前記携行収納体に取付け状態としている取付け手段とを有し、前記取付け手段が前記掛け部材本体の前記幅広部位の幅よりも狭い形態であり、
前記伸縮性リングを指で伸ばして前記掛け部材本体に掛け、その縮動作によって前記リング掛け部材に前記伸縮性リングを掛け保持状態にする掛け部材付き携行収納体。
【発明の詳細な説明】
【技術分野】
【０００１】
本発明は、伸縮性リング付きストラップの取付け保持方法、掛け部材付き着類、伸縮性リング付きストラップとリング掛け部材との組合せ品、リング掛け部材の陳列方法、リング掛け部材並びに掛け部材付き携行収納体に関する。
【背景技術】
【０００２】
従来、コードの一方側に樹脂製スプリングリング、ゴムリングなどの伸縮性リングを設けた携帯ストラップ（以下「伸縮性リング付きストラップ」という。）、この伸縮性リング付きストラップの前記コードの他方の側に携帯電話、スマートホン、財布等の携帯品を取り付けて使用する使用形態が知られている。（例えば特許文献１）
【０００３】
また、スプリングコードの一方の側にクリップを設けた携帯ストラップ、この携帯ストラップの前記スプリングコードの他方の側に携帯品を取付けて使用する使用形態が知られている。（例えば特許文献２）
【先行技術文献】
【特許文献】
【０００４】
【特許文献１】特開2016-163812号公報（図７〜図１１、図４１等）
【特許文献２】特許第２９０６１３９号公報
【発明の概要】
【発明が解決しようとする課題】
【０００５】
上述した特許文献１の技術は、伸縮性リングを指に掛けることで手に持っている携帯品の地面や床（以下「地面」という。）への落下を防止できるという利点があるが、例えば胸ポケットに携帯品を入れた状態で、胸ポケットから携帯品が抜け出た場合に、その携帯品の地面への落下を防止できないという欠点があった。
【０００６】
上述した特許文献２の技術は、クリップを胸ポケットの縁に挟持止状態にして携帯品を胸ポケットに入れた状態で、胸ポケットから携帯品が抜け出た場合に地面への落下を防止できるという利点があるが、胸ポケットの携帯品を手に持って操作する際にはクリップをポケット縁から外して操作しなければならず、手に持っての操作中等に携帯品が落下した場合には地面への落下を防止できないという欠点を有するものであった。
【０００７】
（１）  本発明は以上のような従来技術の欠点に鑑み、伸縮性リング付きストラップを設けた携帯品が、胸ポケット等に入れた状態から落下状態となっても、地面への落下を防止することを可能等する伸縮性リング付きストラップの取付け保持方法を提供することを目的としている。
（２）  また、伸縮性リング付きストラップを設けた携帯品がバック、手提げ袋、肩掛け収納体、背負い収納体などの携行収納体に入れた状態でも、伸縮性リングが収納された品物群から探すことなく携帯品を取出すことを可能とする伸縮性リング付きストラップの取付け保持方法を提供することを目的としている。
（３）  また、伸縮性リング付きストラップを設けた携帯品が、胸ポケット等に入れた状態から落下状態となっても、地面への落下を防止することを可能等する掛け部材付き着類を提供することを目的としている。
（４）  また、伸縮性リング付きストラップを設けた携帯品の伸縮性リングが収納品物群に混入しないようにできる掛け部材付き携行収納体を提供することを目的としている。
（５）  また、前記（１）及び前記（２）又はいずれか一方の伸縮性リング付きストラップの取付け保持方法を実現可能とする包装体を提供することを目的としている。
（６）  また、前記（１）及び前記（２）又はいずれか一方の伸縮性リング付きストラップの取付け保持方法を実現可能とする、商品売り場においける伸縮性リング付きストラップとリング掛け部材の陳列方法を提供することを目的としている。
（７）  また、伸縮性リング付きストラップを掛けるリング掛け部材を提供することを目的としている。
【課題を解決するための手段】
【０００８】
上記目的を達成するために、本発明は次に述べるような構成としている。
＜第１の発明＞
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で着類側に保持可能とする伸縮性リング付きストラップの取付け保持方法であって、
前記伸縮性リングの収縮状態であるリング体通常状態の内周の幅よりも幅広である幅広部位を有する掛け部材本体、この掛け部材本体を前記着類に取付け可能としている又は取付け状態としている取付け手段とを有してなるとともに、前記取付け手段が前記掛け部材本体の前記幅広部位の幅よりも狭い形態であり、前記着類に設けられた該着類の合わせ目を留めるボタンを除くリング掛け部材、
前記伸縮性リングを指で伸ばして前記着類に取り付けられた前記掛け部材本体に掛け、その縮動作によって前記リング掛け部材に前記伸縮性リングを掛け保持状態にする伸縮性リング付きストラップの取付け保持方法である。
定義
（１）  「コード」は、組紐、テグスなどのラインコード、引っ張りコイルばね形態の伸縮するスプリングコード、ゴム紐などの伸縮性コードなどを含むものである。
（２）  「掛け部材本体」の形態は、円盤形態、多角形形態、棒状形態、被プレート形態、異形形態（ハート形や星形など）など多様な形態を技術的範囲に含むものである。
（３）「リング体通常状態の内周の幅よりも幅広である幅広部位を有する掛け部材本体」の「幅広部位」とは、全体が幅広部位である形態（例えば円盤形態など）であるもの、一部が幅広形態であり該一部の幅広形態部分が幅広部位（例えば棒状形態など）としたものなどいずれも含まれるものである。
（４）  「取付け手段」とは、安全ピン、タイピン、面ファスナ、接着剤（粘着剤を含む。）、縫い付け糸、雄ねじと雌ねじ、ホックなどがある。
（５）  「伸縮性リング」は、合成樹脂製（ナイロン、ポリウレタン、ポリプロピレンなど）の引っ張りコイルスプリングをリングに形成したもの、単なるゴム輪形態であるもの、ゴム紐にビーズを通してリングにしたものなど多様なものがある。
（６）  「伸縮性リング側に一方側を取り付けられた」とは、伸縮性リングに直接的に取り付けられた又は他の部材（実施例の「連結部材」など。）を介して取り付けられた形態を言う。
以上の定義は以降の請求項の発明についても適用される。
＜第２の発明＞
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態でバック、手提げ袋、肩掛け収納体、背負い収納体などの携行収納体側に保持可能とする伸縮性リング付きストラップの取付け保持方法であって、
前記伸縮性リングの収縮状態であるリング体通常状態の内周の幅よりも幅広である幅広部位を有する掛け部材本体、この掛け部材本体を前記携行収納体に取付け可能としている又は取付け状態としている取付け手段とを有してなるとともに、前記取付け手段が前記掛け部材本体の前記幅広部位の幅よりも狭い形態であるリング掛け部材、
前記伸縮性リングを指で伸ばして前記携行収納体に取り付けられた前記掛け部材本体に掛け、その縮動作によって前記リング掛け部材に前記伸縮性リングを掛け保持状態にする伸縮性リング付きストラップの取付け保持方法である。
＜第３の発明＞
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で着類側に保持可能とした掛け部材付き着類であって、
着類本体と、
この着類本体に設けられた、前記伸縮性リングの収縮状態であるリング体通常状態の内周の幅よりも幅広である幅広部位を有する掛け部材本体、この掛け部材本体を前記着類に取付け状態としている取付け手段とを有し、前記取付け手段が前記掛け部材本体の前記幅広部位の幅よりも狭い形態である、前記着類に設けられた該着類の合わせ目を留めるボタンを除くリング掛け部材と、を備え、
前記伸縮性リングを指で伸ばして前記掛け部材本体に掛け、その縮動作によって前記リング掛け部材に前記伸縮性リングを掛け保持状態にする掛け部材付き着類である。
＜第４の発明＞
伸縮性リング、この伸縮性リング側に一方側を取り付けられたコードとを有する伸縮性リング付きストラップ、
前記コードの他方の側にスマートホン、財布、鍵などの携帯品を取り付けた状態で、前記伸縮性リングを着脱形態で保持可能とした、バック、手提げ袋、肩掛け収納体、背負い収納体などの掛け部材付き携行収納体であって、
携行収納体本体と、
この携行収納体本体に設けられた、前記伸縮性リングの収縮状態であるリング体通常状態の内周の幅よりも幅広である幅広部位を有する掛け部材本体、この掛け部材本体を該携行収納体本体に取付け状態としている取付け手段とを有し、前記取付け手段が前記掛け部材本体の前記幅広部位の幅よりも狭い形態であるリング掛け部材と、を備え、
前記伸縮性リングを指で伸ばして前記掛け部材本体に掛け、その縮動作によって前記リング掛け部材に前記伸縮性リングを掛け保持状態にする掛け部材付き携行収納体である。
＜第５の発明＞
前記リング掛け部材が前記携行収納体本体の収納部の内側に設けられてなることを特徴とする第４の発明記載の掛け部材付き携行収納体である。
＜第６の発明＞
伸縮性リング、この伸縮性リング側に一方側を取り付けられた又は取り付けられず添付されたコードとを有し、前記コードの他方側にスマートホン、財布、鍵などの携帯品を取り付けた状態として使用可能な伸縮性リング付きストラップ、
前記伸縮性リングの収縮状態であるリング体通常状態の内周の幅よりも幅広である幅広部位を有する掛け部材本体、前記掛け部材本体に設けられれた該掛け部材本体の前記幅広部位よりも狭い安全ピン、ホック、ボタン、面ファスナ、タイピンなどの取付け手段とを有し、前記取付け手段によって着衣又はバック、手提げ袋、肩掛け収納体、背負い収納体などの携行収納体に着脱時自在形態で取り付けることができかつ前記伸縮性リングを掛け保持することが可能なリング掛け部材、
包装容器、
前記包装容器に前記伸縮性リング付きストラップと前記リング掛け部材を収納してなることを特徴とする包装体である。
＜第７の発明＞
伸縮性リング、この伸縮性リングの一部からなる又は該伸縮性リングに設けられた部材であるコード連結部、このコード連結部に一方側を取り付けられたコードとを有する伸縮性リング付きストラップの前記伸縮性リングを掛け保持させるためのリング掛け部材であって、
前記伸縮性リングの収縮状態であるリング体通常状態の内周の幅よりも幅広である幅広部位を有する掛け部材本体と、
この掛け部材本体の裏側に設けられた、該掛け部材本体の幅の広い部位である幅広部位よりも幅の短い安全ピン、ホック、ボタン、面ファスナ、タイピン、粘着剤などの着衣、バック、壁面等の取付け部材に取付け状態とするための取付け手段と、
前記掛け部材本体の下部側及び上部側又はいずれか一方に形成された、前記コード連結部を位置させる凹形態の位置決め部と、を備えてなるとともに、
前記位置決め部の横幅が、前記コード連結部の横幅よりも幅の広い凹形態であり又は前記コード連結部の横幅よりも小幅で且つ前記伸縮性リングの一部が通る幅形態であり、
以上のように構成されてなることを特徴とするリング掛け部材である。
＜第８の発明＞
伸縮性リング、この伸縮性リングの一部からなる又は該伸縮性リングに設けられた部材であるコード連結部、このコード連結部に一方側を取り付けられたコードとを有する伸縮性リング付きストラップの前記伸縮性リングを掛け保持させるためのリング掛け部材であって、
前記伸縮性リングの収縮状態であるリング体通常状態の内周の幅よりも幅広である幅広部位を有する掛け部材本体と、
この掛け部材本体の裏側に設けられた、該掛け部材本体の幅の広い部位である幅広部位よりも幅の短い安全ピン、ホック、ボタン、面ファスナ、タイピン、粘着剤などの着衣、バック、壁面等の取付け部材に取付け状態とするための取付け手段と、
前記掛け部材本体の下部側及び上部側又はいずれか一方に形成された、前記伸縮性リングが前記取付け手段に掛かった状態で、前記伸縮性リングが裏側から表側に通り出された状態で前記コード連結部が前記掛け部材本体の表面に位置されるようにできる該コード連結部の横幅よりも小幅の凹み形態の位置決め部と、を備えてなるリング掛け部材である。
＜第９の発明＞
伸縮性リング、この伸縮性リング側に一方側を取り付けられた又は取り付けられず添付されたコードとからなり、前記コードの他方側にスマートホン、財布、鍵などの携帯品を取り付けた状態として使用可能な伸縮性リング付きストラップ、
前記伸縮性リングの収縮状態であるリング体通常状態の内周の幅よりも幅広である幅広部位を有する掛け部材本体、前記掛け部材本体に設けられれた該掛け部材本体の前記幅広部位よりも狭い安全ピン、ホック、ボタン、面ファスナ、タイピンなどの取付け手段とを有し、前記取付け手段によって着衣又はバック、手提げ袋、肩掛け収納体、背負い収納体などの携行収納体に着脱時自在形態で取り付けることができかつ前記伸縮性リングを掛け保持することが可能なリング掛け部材、
陳列場所、
前記陳列場所に前記伸縮性リング付きストラップと前記リング掛け部材が、隣り陳列形態又は２ｍ以内の近隣陳列形態で陳列されようにしたことを特徴とする伸縮性リング付きストラップとリング掛け部材の陳列方法である。
【発明の効果】
【０００９】
以上の説明から明らかなように、本発明にあっては次に列挙する効果が得られる。
＜第１の発明の効果＞
伸縮性リング付きストラップと該伸縮性リングを掛けるリング掛け部材との組み合わせによる着類での取付け保持方法であって、前記リング掛け部材が掛け部材本体が前記伸縮性リングの収縮状態であるリング体通常状態の内周の幅より幅広である幅広部位を有し、前記着類への取付け手段が前記内周の幅よりも狭い形態であるものである。
（１）  よって例えば、胸ポケットを有する上着（着類）の該胸ポケットの上方にリング掛け部材を取付け状態とし、伸縮性リング付きストラップを取り付けた携帯品を前記胸ポケットに入れた状態にして、伸縮性リングに親指、人差し指、中指の３指を入れて伸ばし広げてリング掛け部材に、片手のみで素早く簡単に掛け保持状態とすることができる。
この掛け保持状態によって、前かがみになる等して携帯品が胸ポケットから抜け出て落下した場合、伸縮性リングはその落下荷重で伸びるが「前記伸縮性リングの収縮状態であるリング体通常状態の内周の幅よりも幅広である幅広部位を有する掛け部材本体、」「前記取付け手段が前記掛け部材本体の前記幅広部位の幅よりも狭い形態であるリング掛け部材、」という構成によって、伸縮性リングはリング掛け部材から外れることがなく、よって胸ポケットから抜け落ちる携帯品は地面に落下する前に伸縮性リング付きストラップよって吊状態になり、地面への衝突が回避される。
このことは、上着の下方横ポケット、ズボンのポケットにおいても同様の使用効果が得られる。
（２）  また、携帯品の落下荷重は伸縮性リングの伸び動作によって大幅に緩和されるので、着衣へのダメージを小さくできる。
（３）  また、胸ポケットにスマートホン等の携帯電話を入れた場合は、コードをそれなりに長いものとすることによって、伸縮性リングをリング掛け部材に掛けたまま、携帯電話を耳に当てて通話やスマートホンの画面操作が可能とできる。
（４）  また、伸縮性リングをリング掛け部材から取り外す操作は、例えば伸縮性リングに親指を入れ引いて伸ばし他の指で掛け部材本体を押さえながら親指と他の指の協力操作で、片手のみで素早く簡単に取り外すことができるとともに、伸縮性リングを指に掛けた指掛け状態で例えばスマートホンの操作を可能とできる。
スマートホンが手から落下しても、指掛け状態の伸縮性リングにより地面への落下の確率を大幅に減らすことができるとともに、落下荷重を伸縮性リングの伸びによる緩和によって指への落下負荷を大幅に軽減する。
また、指に伸縮性リングが掛かっているという心理的安心感が得られ、これによって無意識の操作緊張負荷（ストレス）が解消ないし大幅に緩和されるので、誤操作の起きがたくストレスの少ないスマートホンの操作を実現する。
（５）  また、掛け部材を装飾、デザイン等して身飾り品にするとか、社員のネームプレートや会社のマークなどにするなどのことが容易に可能にできる。
＜第２の発明の効果＞
前記第１の発明の効果で述べた（「着類」を「携行収納体」に替えて）ことと同様な効果を奏するとともに、次に述べるような効果を奏する。
すなわち、伸縮性リング付きストラップを取り付けた携帯品を携行収納体に収納するときに、リング掛け部材に伸縮性リングを掛け保持状態とすることにより、携帯品が収納されていることが一目で分かり、かつ、伸縮性リングに指を掛けリング掛け部材から外し引き上げるだけで、目的の携帯品を探すことなく携行収納体から出すことができる。
複数のリング掛け部材を設けるないし取り付けることにより、複数の携帯品（例えば、頻繁に利用するスマートホン、鍵などに好適）を収納されている品物群の中から探すことなく、伸縮性リングに指を掛け引き上げ操作で素早く簡単に取り出すことを実現する。
＜第３の発明の効果＞
前記第１の発明と同様な効果を奏する。
＜第４の発明の効果＞
前記第２の発明と同様な効果を奏する。
＜第５の発明の効果＞
前記第４の発明と同様な効果を奏するとともに、リング掛け部材が前記携行収納体本体の収納部の内側に設けられてなるので、リング掛け部材が外からは見えないという効果を奏する。
＜第６の発明の効果＞
前記第１の発明又は第２の発明の伸縮性リング付きストラップの取付け保持方法を、伸縮性リング付きストラップとリング掛け部材を収納してなる包装体を購入等することにより容易に実現する。
＜第７の発明の効果＞
請求項１，２、３、４等と同様な効果を奏するとともに、凹み形態の位置決め部にコード連結部を確実に位置させることができるとともに、伸縮性リングが位置決め部側に位置しているので、該伸縮性リングが掛け部材本体が外れ難い保持形態とされるという効果を奏する。
また、コードの他方側に取り付けられたスマートホンなどの携帯品が掛け部材本体よりも上方に位置された携行状態、取付け状態ないし配置状態にあって、かつ、掛け部材本体の位置決め部が下方に位置したその開口が下向きである場合は、かかる位置決め部にコード連結部を意識的に位置させることが行いやすく、位置決め部にコード連結部が位置した状態で携帯品が落下した場合、掛け部材本体の下方に位置されたコード連結部が下方に引っ張られ同時に伸縮性リングも下方に引っ張られるので、すなわち伸縮性リングの上部側は掛け部材本体の上部側に掛かったままの外れない状態で下方に引っ張られるので、伸縮性リングが掛け部材本体から外れることが生じ難い掛け形態を実現するという効果を奏する。
また、位置決め部の横幅が、コード連結部の横幅よりも小幅で且つ前記伸縮性リングの一部が通る幅形態であるものは、伸縮性リングが凹み形態の位置決め部に入った形態となるので、位置決め部が下方に位置したその開口が下向きである場合は、かかる位置決め部にコード連結部を意識的に位置させることが行いやすく、位置決め部にコード連結部が位置した状態で携帯品が落下した場合、掛け部材本体の下方に位置されたコード連結部が下方に引っ張られ同時に伸縮性リングも下方に引っ張られるので、すなわち伸縮性リングの上部側は掛け部材本体の上部側に掛かったままの外れない状態で下方に引っ張られるので、伸縮性リングが掛け部材本体から外れっることが生じ難い掛け形態を実現するという効果を奏する。
＜第８の発明の効果＞
非凸形態の位置決め部は、第７の発明と略同様な効果を奏する。
＜第９の発明の効果＞
伸縮性リング付きストラップ、リング掛け部材を隣り陳列形態又は２ｍ以内の近隣陳列形態で陳列されようにした、商品売り場においける伸縮性リング付きストラップとリング掛け部材の陳列方法により、購入者等がその関連性を認識し易くできるので、前記第１の発明又は第２の発明の伸縮性リング付きストラップの取付け保持方法を実現し易くなる。
また、多様な色彩、形態の伸縮性リング付きストラップと多様な色彩、形態のリング掛け部材の組合せを好みに応じて選択することを可能等する。
【図面の簡単な説明】
【００１０】
【図１】本発明の実施例１の携帯品に携帯ストラップを取付けた状態とリング掛け部材の裏側（背面側）の斜視図。
【図２】本発明の実施例１の着衣胸ポケットでの使用状態図。
【図３】図１の保持状態から落下が止められた状態図（図（ａ）、リング掛け部材から外しい指に伸縮性リングを掛け吊った状態図。
【図４】本発明の実施例１の着衣の横ポケットでの使用状態図。
【図５】本発明の実施例１における伸縮性リング付きストラップの側面図。
【図６】本発明の実施例２の使用状態図。
【図７】本発明の実施例３の使用状態図。
【図８】本発明の実施例４の断面図。
【図９】本発明の実施例５の正面図。
【図１０】本発明の実施例６の正面図。
【図１１】本発明の実施例７の正面図および使用状態正面図。
【図１２】本発明の実施例８の正面図および使用状態正面図。
【図１３】本発明の実施例９の正面図および使用状態正面図。
【図１４】本発明の実施例１０の正面図および使用状態正面図。
【図１５】本発明の実施例１１の正面図および使用状態正面図。
【図１６】本発明の実施例１２の正面図および使用状態正面図。
【図１７】本発明の実施例１３の使用状態側面図、側面図。
【発明を実施するための形態】
【００１１】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１２】
図１〜図５に示す本発明の実施例１において、伸縮性リング２、この伸縮性リング２側に一方側を取り付けられたコード３とを有する伸縮性リング付きストラップ１、
コード３の他方の側にスマートホン、財布、鍵などの携帯品４（ここでは「スマートホン」）を取り付けた状態で、伸縮性リング２を着脱形態で着類５（ここでは「胸ポケットの在るワイシャツないし作業服」）側に保持可能とする伸縮性リング付きストラップ１の取付け保持方法は、
伸縮性リング２の収縮状態であるリング体通常状態の内周の幅よりも幅広である幅広部位を有する掛け部材本体６、この掛け部材本体６を着類５に取付け可能としている取付け手段７とを有してなるとともに、取付け手段７が掛け部材本体６の幅広部位の幅よりも狭い形態であるリング掛け部材８、
伸縮性リング２を指で伸ばして着類５に取り付けられた掛け部材本体６に掛け、その縮動作によってリング掛け部材８に伸縮性リング２を掛け保持状態にすることを可能にした伸縮性リング付きストラップの取付け保持方法を実現しているものである。
【００１３】
掛け部材本体６を着類５に予め取付け状態としている形態もよい。この場合の取付け手段７は縫い付け糸とし該糸で縫い付ける形態がよい。
また、取付け手段７を接着剤とし該接着剤によって予め接着取り付けた形態とするのもよい。
また、取付け手段７を嵌合カシメ手段として該嵌合カシメ手段により予めカシメ取り付けた形態とするのもよい。
また、ホックのオスを掛け部材本体６に取付け、ホックのメスを着類５に取付け、ホックオスとホックメスとを接着剤で固定するなどもよい。
そのた多様な予め取り付ける形態があることは言うまでもない。
【００１４】
伸縮性リング付きストラップ１は、
合成樹脂製（ナイロン、ポリウレタン、ポリプロピレンなど）の引っ張りコイルスプリングをリングに形成した伸縮性リング２（ここでは「ポリウレタン」）と、
この伸縮性リング２に固定紐２０によって締め固定された、球体形態（ここでは「木製」）のコード連結部本体２１、このコード連結部本体２１に横向き貫通孔形態で設けられた直径６ｍｍの結び目収納孔２２、コード連結部本体２１の伸縮性リング２の反対側に結び目収納孔２２に交差連絡形態で設けられた、コード３一本形態を通しその結び目２３（≒２ｍｍの塊形態）を通さない直径１．２ｍｍの紐通し孔２４とを有するコード連結部２５とを有する構成となっている。
伸縮性リング２は、単なるゴム輪形態であるもの、ゴム紐にビーズを通してリングにしたもの、波形スプリングコードなどもよい。
【００１５】
伸縮性リング２の伸縮性リング２の収縮状態であるリング体通常状態の内周の幅は直径１５ｍｍの円形、リング掛け部材８は直径３０ｍｍの木製円盤形態（よってここでは全体が「幅広部位」である。）、取付け手段７は長さ２０ｍｍの安全ピン（ここでは「ブローチピン」）である。
技術的範囲はこれらの寸法に限定されないし、その形状、形態、部品は多様なものがある。
【００１６】
リング掛け部材８は、身近なもの、例えば安全ピンのついた既成の缶バッチ、樹脂製バッチ、取付け手段７を接着取り付けたくるみボタン、取付け手段７を接着取り付けた大きめの木製ボタンなどが好適である。
【００１７】
本実施例１においてコード３はナイロン１６打芯入の編組紐からなる太さ０．８ｍｍの一本コード形態であるが、組紐、テグスなどのラインコード、引っ張りコイルばね形態の伸縮するスプリングコード、波形スプリングバネ形態のスプリングコード、ゴム紐などの伸縮性コードなどでもよい。
【００１８】
コード３の他方側は、ストラップホールを有するスマートホンである携帯品４の該ストラップホールに一本形態で通され、該ストラップホールから出た他方側先端は該ストラップホールを通らない形態の抜け止パーツ３０に取り付けられている。
抜け止パーツ３０は、パーツ本体３１、このパーツ本体３１に横向き貫通孔形態で設けられた直径３ｍｍの結び目収納孔３２、結び目収納孔３２に交差連絡する形態で設けられた、コード３一本形態を通しその結び目３３を通さない直径１．２ｍｍの紐通し孔３４とを有する構成となっている。
【００１９】
よって、コード連結部２５と抜け止パーツ３０を連結しているコード３（以下「連結コード」といいう。）は切断して抜き取り取り除いて、新たなコード３の一方側をコード連結部２５の結び目収納孔２２に通して結び目２３を作り、他方側を抜け止パーツ３０の紐通し孔３４に通して結び目３３を作って新たな連結コードに何回でも替えることができる。
【００２０】
（１）  例えば、胸ポケットを有する上着（着類５）の該胸ポケットの上方にリング掛け部材８を取付け状態とし、伸縮性リング付きストラップ１を取り付けたスマートホンである携帯品４を前記胸ポケットに入れた状態にして、伸縮性リング２に親指、人差し指、中指の３指を入れて伸ばし広げてリング掛け部材８に、片手のみで素早く簡単に掛け保持状態とすることができる。
この掛け保持状態によって、前かがみになる等して携帯品４が胸ポケットから抜け出て落下した場合、伸縮性リング２はその落下荷重で伸びるが「伸縮性リング２の収縮状態であるリング体通常状態の内周の幅よりも幅広である幅広部位を有する掛け部材本体６、」「取付け手段７が掛け部材本体６の幅広部位の幅よりも狭い形態であるリング掛け部材８、」という構成によって、伸縮性リング２はリング掛け部材８から外れることがなく、よって胸ポケットから抜け落ちる携帯品４は地面に落下する前に伸縮性リング付きストラップ１よって吊状態になり、地面への衝突が回避される。
このことは、上着の下方横ポケット（図４参照）、ズボンのポケットにおいても同様の使用効果が得られる。
（２）  また、携帯品４の落下荷重は伸縮性リング２の伸び動作によって大幅に緩和されるので、着衣（着類５）へのダメージを小さくできる。
（３）  また、胸ポケットにスマートホン等の携帯電話を入れた場合は、コード３をそれなりに長いものとすることによって、伸縮性リング２をリング掛け部材８に掛けたまま、携帯電話を耳に当てて通話やスマートホンの画面操作が可能とできる。
（４）  また、伸縮性リング２をリング掛け部材８から取り外す操作は、例えば伸縮性リング２に親指を入れ引いて伸ばし他の指で掛け部材本体６を押さえながら親指と他の指の協力操作で、片手のみで素早く簡単に取り外すことができるとともに、伸縮性リング２を指に掛けた指掛け状態で例えばスマートホンの操作を可能とできる。
スマートホンが手から落下しても、指掛け状態の伸縮性リング２により地面への落下の確率を大幅に減らすことができるとともに、落下荷重を伸縮性リング２の伸びによる緩和によって指への落下負荷を大幅に軽減する。
また、指に伸縮性リング２が掛かっているという心理的安心感が得られ、これによって無意識の操作緊張負荷（ストレス）が解消ないし大幅に緩和されるので、誤操作の起きがたくストレスの少ないスマートホン等の操作を実現する。
【００２１】
（１）  「コード３」は、組紐、テグスなどのラインコード、引っ張りコイルばね形態の伸縮するスプリングコード、ゴム紐などの伸縮性コードなどを含むものである。
（２）  「掛け部材本体６」の形態は、円盤形態、多角形形態、棒状形態、被プレート形態、異形形態（ハート形や星形など）など多様な形態を技術的範囲に含むものである。
（３）「リング体通常状態の内周の幅よりも幅広である幅広部位を有する掛け部材本体６」の「幅広部位」とは、全体が幅広部位である形態（例えば円盤形態など）であるもの、一部が幅広形態であり該一部の幅広形態部分が幅広部位（例えば棒状形態など）としたものなどいずれも含まれるものである。
（４）  「取付け手段７」とは、安全ピン、タイピン、面ファスナ、接着剤、縫い付け糸、雄ねじと雌ねじ、ホックなどがある。
【００２２】
本実施例１においては、リング掛け部材８を着類５に設けた構成とすることによって掛け部材付き着類を実現するものである。。
この掛け部材付き着類は、
伸縮性リング２、この伸縮性リング２側に一方側を取り付けられたコード３とを有する伸縮性リング付きストラップ１、
コード３の他方の側にスマートホン、財布、鍵などの携帯品４を取り付けた状態で、伸縮性リング２を着脱形態で着類側に保持可能とした掛け部材付き着類であって、
着類本体と、
この着類本体に設けられた、伸縮性リング２の収縮状態であるリング体通常状態の内周の幅よりも幅広である幅広部位を有する掛け部材本体６、この掛け部材本体６を前記着類本体に取付け状態としている取付け手段７とを有し、取付け手段７が掛け部材本体６の幅広部位の幅よりも狭い形態であるリング掛け部材８と、を備え、
伸縮性リング２を指で伸ばして掛け部材本体６に掛け、その縮動作によってリング掛け部材８に伸縮性リング２を掛け保持状態にすることを可能にしているものである。
【００２３】
図４において、作業服（上着）ないし事務服からなる着類５の下方横ポケットにスマートホンからなる携帯品４を収納し、下方横ポケットの上方にリング掛け部材８を取付け、そのリング掛け部材８に伸縮性リング６を掛け保持状態としている。
【実施例２】
【００２４】
図６に示す本発明の実施例２において、前記実施例１と主に異なる点は、掛け部材本体６を棒状形態とした点にある。
この棒状の掛け部材本体６において「幅広部位」は取付け手段７の左右に突出した部位である。
【実施例３】
【００２５】
図７に示す本発明の実施例３において、伸縮性リング２、この伸縮性リング２側に一方側を取り付けられたコード３とを有する伸縮性リング付きストラップ１、
コード３の他方の側にスマートホン、財布、鍵などの携帯品４を取り付けた状態で、伸縮性リング２を着脱形態でバック、手提げ袋、肩掛け収納体、背負い収納体などの携行収納体３６（ここでは「布製の手提げ袋」）側に保持可能とする伸縮性リング付きストラップ１の取付け保持方法を示している。
その方法は、
伸縮性リング２の収縮状態であるリング体通常状態の内周の幅よりも幅広である幅広部位を有する掛け部材本体６、この掛け部材本体６を携行収納体３６に取付け可能としている又は取付け状態としている取付け手段７とを有してなるとともに、取付け手段７が掛け部材本体６の幅広部位の幅よりも狭い形態であるリング掛け部材８（ここでは既成の「缶バッチ」）、
伸縮性リング２を指で伸ばして携行収納体３６の内側壁面に取り付けられた掛け部材本体６に掛け、その縮動作によってリング掛け部材８に伸縮性リング２を掛け保持状態にすることを可能にした伸縮性リング付きストラップ１の取付け保持方法である。
リング掛け部材８（ここでは既成の「缶バッチ」）を複数設けることで、例えば、スマートホン、鍵、財布などそれぞれに伸縮性リング付きストラップ１を取り付けた複数の携帯品４、複数のリング掛け部材８に連絡した形態で収納することも可能である。
【００２６】
伸縮性リング付きストラップ１を取り付けた携帯品４を携行収納体３６に収納するときに、リング掛け部材８に伸縮性リング２を掛け保持状態とすることにより、携帯品４が収納されていることが一目で分かり、かつ、伸縮性リング２に指を掛けリング掛け部材８から外し引き上げるだけで、目的の携帯品４を探すことなく携行収納体３６から出すことができる。
複数のリング掛け部材８を設けるないし取り付けることにより、複数の携帯品４（例えば、頻繁に利用するスマートホン、鍵などに好適）を収納されている品物群の中から探すことなく、伸縮性リング２に指を掛け引き上げ操作で素早く簡単に取り出すことを実現する。
【実施例４】
【００２７】
図８に示す本発明の実施例４において、掛け部材付き携行収納体３９は次に述べるようなものである。
伸縮性リング２、この伸縮性リング２側に一方側を取り付けられたコード３とを有する伸縮性リング付きストラップ１、
コード３の他方の側にスマートホン、財布、鍵などの携帯品４を取り付けた状態で、伸縮性リング２を着脱形態で保持可能とした、バック、手提げ袋、肩掛け収納体、背負い収納体などの掛け部材付き携行収納体３９（ここでは「手提げバック」）であって、
携行収納体本体３７と、
この携行収納体本体３７に設けられた、伸縮性リング２の収縮状態であるリング体通常状態の内周の幅よりも幅広である幅広部位を有する掛け部材本体６、この掛け部材本体６を該携行収納体本体３７に取付け状態としている取付け手段７とを有し、取付け手段７が掛け部材本体６の幅広部位の幅よりも狭い形態であるリング掛け部材８と、を備え、
伸縮性リング２を指で伸ばして掛け部材本体６に掛け、その縮動作によってリング掛け部材８に伸縮性リング２を掛け保持状態にする掛け部材付き携行収納体３９である。
【００２８】
本実施例４でのリング掛け部材８は、掛け部材本体６が円盤形態で裏側に雄ねじからなる取付け手段７が設けられた形態である。
掛け部材付き携行収納体３９にはハトメ４０で補強された貫通孔４１が、収納部３８の左右壁のそれぞれに一箇所、手提げ部４２に１箇所の計３箇所が設けられている。
リング掛け部材８は、バックの表面に位置される装飾部４４（ここでは「平盤形態」）と、この装飾部４４の裏側に雄ねじである雌ねじ部４３を有する飾り部材４５と対をなしている。
雌ねじ部４３には雄ねじからなる取付け手段７が螺合される。
リング掛け部材８を収納部３８の内側に位置させて取付け手段７を貫通孔４１に挿入し、バックの表側から飾り部材４５の雌ねじ部４３を貫通孔４１に入れ、回して雄ねじからなる取付け手段７と雌ねじ部４３を螺合締め付けて取付け状態とする。
【００２９】
リング掛け部材８のみを収納部３８の内壁に１つないし複数、取外し不可能ないし外れ難い形態（接着固定、嵌め殺し固定、縫い付け固定など）で設けるのもよい。
【実施例５】
【００３０】
図９に示す本発明の実施例５において、包装体１６は次に述べるようなものである。
伸縮性リング２、この伸縮性リング２側に一方側を取り付けられた又は取り付けられず添付されたコード３とを有し、コード３の他方側にスマートホン、財布、鍵などの携帯品４を取り付けた状態として使用可能な伸縮性リング付きストラップ１、
伸縮性リング２の収縮状態であるリング体通常状態の内周の幅よりも幅広である幅広部位を有する掛け部材本体６、掛け部材本体６に設けられれた該掛け部材本体６の幅広部位よりも狭い安全ピン、ホック、ボタン、面ファスナ、タイピンなどの取付け手段７とを有し、取付け手段７によって着衣又はバック、手提げ袋、肩掛け収納体、背負い収納体などの携行収納体１０に着脱時自在形態で取り付けることができかつ伸縮性リング２を掛け保持することが可能なリング掛け部材８、
包装容器１５、
包装容器１５に伸縮性リング付きストラップ１とリング掛け部材８を収納してなることを特徴とする包装体１６である。
コード３は複数本（ここでは２本）収納され、数回はコードの交換（付け替え）が行えるようにしている。
前記請求項１又は２の発明で述べている伸縮性リング付きストラップ１の取付け保持方法を、前記包装容器に前記伸縮性リング付きストラップと前記リング掛け部材を収納してなる包装体１６を購入等することにより容易に実現することが可能となる。
よい。
【実施例６】
【００３１】
図１０に示す本発明の実施例６において、包装体１６は次に述べるようなものである。
伸縮性リング２、この伸縮性リング２側に一方側を取り付けられた又は取り付けられず添付されたコード３とからなり、コード３の他方側にスマートホン、財布、鍵などの携帯品４を取り付けた状態として使用可能な伸縮性リング付きストラップ１、
伸縮性リング２の収縮状態であるリング体通常状態の内周の幅よりも幅広である幅広部位を有する掛け部材本体６、掛け部材本体６に設けられれた該掛け部材本体６の幅広部位よりも狭い安全ピン、ホック、ボタン、面ファスナ、タイピンなどの取付け手段７とを有し、取付け手段７によって着衣（着類５）又はバック、手提げ袋、肩掛け収納体、背負い収納体などの携行収納体１０に着脱時自在形態で取り付けることができかつ伸縮性リング２を掛け保持することが可能なリング掛け部材８、
陳列場所５、
陳列場所５に伸縮性リング付きストラップ１とリング掛け部材８が、隣り陳列形態又は２ｍ以内の近隣陳列形態で陳列されようにしたことを特徴とする伸縮性リング付きストラップ１とリング掛け部材８の陳列方法である。
伸縮性リング付きストラップ１、リング掛け部材８を隣り陳列形態又は２ｍ以内の近隣陳列形態で陳列されようにした、商品売り場においける伸縮性リング付きストラップ１とリング掛け部材８の陳列方法により、購入者等がその関連性を認識し易くできるので、伸縮性リング付きストラップ１の取付け保持方法を実現し易くなる。
また、多様な色彩、形態の伸縮性リング付きストラップ１と多様な色彩、形態のリング掛け部材８の組合せを好みに応じて選択することを可能としている。
包装体１２、予備のコード３ａ、吊支持部１３。
【実施例７】
【００３２】
図１１に示す本発明の実施例７において、リング掛け部材５０は、伸縮性リング２、この伸縮性リング２に設けられた部材であるコード連結部２５、このコード連結部２５に一方側を取り付けられたコード３とを有する伸縮性リング付きストラップ１の前記伸縮性リング２を掛け保持させるためのリング掛け部材であって、
略プレート状形態（ここでは、下部側が≒３０程度非円形の円形形態）で、伸縮性リング２の収縮状態であるリング体通常状態の内周の幅よりも幅広である幅広部位を有する掛け部材本体５１と、
この掛け部材本体５１の裏側に設けられた、該掛け部材本体５１の幅の広い部位である幅広部位よりも幅の短い安全ピン、ホック、ボタン、面ファスナ、タイピン、粘着剤などの着衣、バック、壁面等の取付け部材に取付け状態とするための取付け手段７（ここでは安全ピン。）と、
前記掛け部材本体５１の下部側に形成された、前記コード連結部２５を位置させる凹み湾曲形態の位置決め部５２と、を備えてなるとともに、
前記位置決め部５２の横幅が、前記コード連結部２５の横幅よりも幅の広い凹形態である構成であるものである。
掛け部材本体５１は非プレート形態であるものもよい。
【００３３】
次のような作用効果を奏する。
位置決め部５２が一目で認識できるので、掛け部材本体５１に伸縮性リング２を掛ける動作時にコード連結部２５を位置決め部５２内に位置させることが迷うことなく自然にでき、また、位置決め部５２内に位置されたコード連結部２５は該位置決め部５２内からずれ難く位置される。
掛け部材本体が円形のものは、例えば位置決め部５２がその下部側に位置した形態で、上方に引っ張られた場合には、その円形凸曲縁に沿って伸縮性リング２が広がって行くので抜けやすいのであるが、リング掛け部材５０においては、掛け部材本体５１の下部が非円形の凹湾曲形態の下部縁の形態が横幅が広い非円形縁であるので、上方に引っ張られた場合でも、伸縮性リング２が非円形縁に止められてしまうので、上方に引っ張られた場合でも外れ難い形態を実現している。
そのことは、位置決め部５２を上向き形態で着衣等に取り付けた状態としても、下方に引っ張られる状態でも、伸縮性リング２が非円形縁に止められてしまうので、、位置決め部を上向き形態でも外れ難い形態を実現している。
【実施例８】
【００３４】
図１２に示す本発明の実施例８において、前記実施例７と主に異なる点は、位置決め部の形態がコード連結部２５の円形径よりわずかに大径の円弧凹み形態の位置決め部５４とし、該位置決め部５４の左右を横向き直線形態としたリング掛け部材５５を形成した点にある。
【実施例９】
【００３５】
図１３に示す本発明の実施例９において、前記実施例７と主に異なる点は、上部側にも湾曲凹み形態の位置決め部５７を設けたリング掛け部材５８を形成した点にある。
【実施例１０】
【００３６】
図１４に示す本発明の実施例１０において、前記実施例７と主に異なる点は、位置決め部の形態を、横幅が取付け手段７の横幅よりも広い非凸形態（ここでは、横直線形態であるが、波形形態、凹み形態名などが含まれる。）の位置決め部６０としたリング掛け部材６１を形成した点にある。
【実施例１１】
【００３７】
図１５に示す本発明の実施例１１において、前記実施例７と主に異なる点は、位置決め部の形態を、掛け部材本体５１の下部側及び上部側又はいずれか一方に形成された、伸縮性リング６３が取付け手段７に掛かった状態で、伸縮性リング６３が裏側から表側に通り出された状態でコード連結部２５が前記掛け部材本体５１の表面に位置されるようにできる該コード連結部２５の横幅よりも小幅の凹み形態の位置決め部６４としたリング掛け部材６５を形成した点にある。
伸縮性リング付きストラップ６９の伸縮性リング６３は一本紐コード形態のゴム紐状のリングの場合を示している。
【実施例１２】
【００３８】
図１６に示す本発明の実施例１２において、前記実施例７と主に異なる点は、位置決め部の形態がコード連結部２５の円形径より幅広の四角形凹み形態の位置決め部６６としリング掛け部材６７を形成した点にある。
【実施例１３】
【００３９】
図１７に示す本発明の実施例１３において、リング掛け部材７０は、伸縮性リング２の収縮状態であるリング体通常状態の内周の幅よりも幅広である幅広部位を有するプレート形態の掛け部材本体７１と、この掛け部材本体７１の裏側に突出形態で設けられた、伸縮性リング２が入るための隙間を形成する隙間形成凸部７２と、この隙間形成凸部７２の背面に設けられたプレート部７３と、このプレート部７３の背面側に設けられた粘着剤からなる取付け手段７４と、この取付け手段７４の背面側に設けられた剥離紙７５とからなっている。
左図は、壁７６に貼り付け固定した伸縮性リング付きストラップ１を掛けた状態の側面図である。
【産業上の利用可能性】
【００４０】
本発明は、主にスマートホン等の携帯品のための携帯ストラップを製造、販売する産業で利用される。
【符号の説明】
【００４１】
１：伸縮性リング付きストラップ、
２：伸縮性リング、
３：コード、
３ａ：予備コード、
４：携帯品、
５：着類、
６：掛け部材本体、
７：取付け手段、
８：リング掛け部材、
１２：包装体、
１３：吊支持部、
１５：包装容器、
１６：包装体、
２０：固定紐、
２１：コード連結部本体、
２２：結び目収納孔、
２３：結び目、
２４：紐通し孔、
２５：コード連結部、
３０：抜け止パーツ、
３１：パーツ本体、
３２：結び目収納孔、
３３：結び目、
３４：紐通し孔、
３６：携行収納体、
３７：携行収納体本体、
３８：収納部、
３９：掛け部材付き携行収納体、
４０：ハトメ、
４１：貫通孔、
４２：手提げ部、
４３：雌ねじ部、
４４：装飾部、
４５：飾り部材、
５０：リング掛け部材、
５１：掛け部材本体、
５２：位置決め部、
５４：位置決め部、
５５：リング掛け部材、
５７：位置決め部、
５８：リング掛け部材、
６０：位置決め部、
６１：リング掛け部材、
６３：伸縮性リング、
６４：位置決め部、
６５：リング掛け部材、
６６：位置決め部、
６７：リング掛け部材、
６９：伸縮性リング付きストラップ、
７０：リング掛け部材、
７１：掛け部材本体、
７２：隙間形成凸部、
７３：プレート部、
７４：取付け手段、
７５：剥離紙、
７６：壁。
【図１】
2020110672.tif 000003
【図２】
2020110672.tif 000004
【図３】
2020110672.tif 000005
【図４】
2020110672.tif 000006
【図５】
2020110672.tif 000007
【図６】
2020110672.tif 000008
【図７】
2020110672.tif 000009
【図８】
2020110672.tif 000010
【図９】
2020110672.tif 000011
【図１０】
2020110672.tif 000012
【図１１】
2020110672.tif 000013
【図１２】
2020110672.tif 000014
【図１３】
2020110672.tif 000015
【図１４】
2020110672.tif 000016
【図１５】
2020110672.tif 000017
【図１６】
2020110672.tif 000018
【図１７】
2020110672.tif 000019